(57)【特許請求の範囲】
【請求項１】
開口部を有する筐体と、
前記筐体内部に設けられ、複数の押圧スイッチを有するキー基板と、
前記複数の押圧スイッチに被せられ、前記筐体内部に設けられるキーシートと、
を備える携帯電子機器であって、
前記キーシートは、
弾性を有し、前記複数の押圧スイッチに対応して複数の押し子がキー基板側の面に形成されるベースシートと、
前記開口部から露出し、前記ベースシートの前記開口部側の面に前記複数の押し子をすべて覆うように配設される多角形状のマルチキートップと、
前記ベースシートに積層的に取り付けられるインナーフレームと、
を含んで構成されており、
前記押圧スイッチは、前記マルチキートップの隣り合う２つの角部の間の領域に位置するように配設され、
前記インナーフレームは、前記マルチキートップの各角部に対応した領域に開口した第１の孔部を有する
ことを特徴とする携帯電子機器。
【請求項２】
前記インナーフレームには、前記複数の押圧スイッチに対応した領域に第２の孔部が形成され、
前記ベースシートには、前記複数の押し子のそれぞれの裏面側に突出部が形成され、各突出部は前記第２の孔部を挿通し、各突出部の頂点に前記マルチキートップが配置される
ことを特徴とする請求項１に記載の携帯電子機器。
【請求項３】
前記第１の孔部は、前記インナーフレームにおいて前記マルチキートップの周縁部よりも外側に形成されている
ことを特徴とする請求項２に記載の携帯電子機器。
【請求項４】
前記キー基板には、前記複数の押圧スイッチに囲まれる領域の内側に、中央押圧スイッチが配設され、
前記ベースシートには、当該中央押圧スイッチに対応した位置に中央押し子がさらに形成され、
前記キーシートは、当該中央押し子を押下可能である中央キートップをさらに有する
ことを特徴とする請求項１から３のいずれか一項に記載の携帯電子機器。
【請求項５】
前記キー基板には、前記複数の押圧スイッチに囲まれる領域の内側に、中央押圧スイッチが配設され、
前記ベースシートには、当該中央押圧スイッチに対応した位置に中央押し子がさらに形成され、
前記マルチキートップは、当該中央押し子をも押下可能である
ことを特徴とする請求項１から３のいずれか一項に記載の携帯電子機器。
【請求項６】
前記キー基板には、前記複数の押圧スイッチに囲まれる領域の外側に少なくとも１つの他の押圧スイッチが配設され、
前記ベースシートには、当該他の押圧スイッチに対応して配置される少なくとも１つの他の押し子がさらに形成され、
前記キーシートは、当該他の押し子を押下可能である少なくとも１つの他のキートップをさらに有する
ことを特徴とする請求項１から５のいずれか一項に記載の携帯電子機器。
【請求項７】
押圧スイッチを有するキー基板に被せられ、携帯電子機器の筐体内部に配設されるキー構造であって、
弾性を有し、前記複数の押圧スイッチに対応して複数の押し子がキー基板側の面に形成されるベースシートと、
前記筐体の開口部から露出し、前記ベースシートの前記開口部側の面に前記複数の押し子をすべて覆うように配設される多角形状のマルチキートップと、
前記ベースシートに積層的に取り付けられるインナーフレームと、
を有し、
前記押圧スイッチは、前記マルチキートップの隣り合う２つの角部の間の領域に位置するように配設され、
前記インナーフレームは、前記マルチキートップの各角部に対応した領域に開口した第１の孔部を有する
ことを特徴とするキー構造。
【発明の詳細な説明】
【技術分野】
【０００１】
本発明は、複数の押圧スイッチが１つのキートップにより押下可能である携帯電子機器及びキー構造に関する。
【背景技術】
【０００２】
近年、携帯電話等の携帯電子機器では、多機能化が進んでおり、それに伴って搭載されるキー・ボタン類の数が増加している。したがって、各キー・ボタンに割り当てられるスペースは小さくなり、キー・ボタン類の小型化が強く要求されている。このため、複数のキーのキートップを筐体から露出させるための開口部において、複数のキー間の枠（フレーム）を取り払ったキー構造（フレームレスキー）の採用が増加している。
このようなキー構造としては、例えば特許文献１及び２に開示されたキーボタン構造がある。
特許文献１には、ベースラバーの縦横方向に複数形成されたキーボタン部の周囲を囲むとともに各キーボタン部間を仕切る形状をなして、ベースラバー上に重ねられる中フレームを備えるキーボタン構造が開示されている。
特許文献２には、開口部を有する送話筐体と、送話筐体内部に設けられ、複数の押圧スイッチを有するＦＰＣと、複数の押圧スイッチに被せられ、送話筐体内部に設けられるキーシートと、キーシート上に複数の押圧スイッチに対応して設けられ、開口部から露出する複数の各種キーとを備え、キーシートが、送話筐体に取り付けられた際に、各種キーを有する部位が筐体内側方向に付勢されるように構成された携帯電子機器が開示されている。
【特許文献１】特開２００６−１４７２９２号公報
【特許文献２】特開２００７−１４１０７６号公報
【発明の開示】
【発明が解決しようとする課題】
【０００３】
携帯電子機器では、小さいキー構造に多くの機能を割り当てるために、十字キーやマルチファンクションキーのように、多方向への入力を受け付ける多方向キー（以下ＭＦキーと称する）と呼ばれる、１つのキートップで複数のスイッチを押下する形式のキー構造が配設されていることが多い。
携帯電子機器には小型化・薄型化の強い要求があるため、ＭＦキー部分も小型化・薄型化の試みがなされている。また、押しやすさを考慮してＭＦキーの大型化の要求もあり、ＭＦキーを大型化する場合には、強度的な視点から複数のキー間のフレームを有する構造とする必要がある。
【０００４】
ここで、複数のキー間のフレームを有するＭＦキーにおいて、キートップが押下されたときにキートップとフレームとが干渉し、ＭＦキーの複数のスイッチすべてが正常に押下されない事態が生じる場合があった。
【０００５】
以下、具体的に説明する。
図６は、従来のＭＦキーを含むキー構造の一例を示す図である。
図６では、ＭＦキーを含むキー構造の一例として、携帯電話機のテンキー、ＭＦキー、ファンクションキー（ＭＦキーの左右に設けられた多機能キー）の構造を示している。
図６（ａ）は従来のキー構造の一例としてキー構造２００を示した斜視図である。
図６（ａ）に示すように、キー構造２００を構成するキーは、ＭＦキー２０１、決定キー２０２、ファンクションキー２０３、テンキー２０４である。
図６（ｂ）は、キー構造２００の分解斜視図である。
図６（ｂ）に示すように、キー構造２００はキートップ２１０、インナーフレーム２１１、ベースシート２１２、ＦＰＣ（フレキシブルプリント基板）２１３を有する。ＦＰＣ２１３には、入力を受け付ける複数のスイッチ２１４が形成されている。
【０００６】
図６（ａ）及び図６（ｂ）に示すように、ＭＦキー２０１は、４つのスイッチ２１４と、これらを押下するためにベースシート２１２に形成された４つの押し子と、これら４つの押し子すべてを覆うＭＦキーのキートップ２１０が、４つの孔部を有するインナーフレーム２１１に取り付けられて構成されている。
【０００７】
ここで、例えば図６（ａ）に示した点Ａの位置、つまりＭＦキー２０１の角部に押圧力がかけられた場合、すなわち、ＭＦキー２０１の４つのスイッチ２１４のうちの隣接する２つが同時に押下されようとした場合、図６（ｂ）に示すように、図６（ａ）の点Ａの位置にはインナーフレーム２１１のフレーム部分が通っているため、キートップ２１０とインナーフレーム２１１とが干渉しあい、掛けられた押圧力がうまく押し子に伝わらずにスイッチ２１４が同時押しとして認識できない、という事態が生じることがあった。
【０００８】
本発明は、上述した事態を回避するために、大型化かつ薄型化された多方向キーにおいて、キートップとインナーフレームとの干渉を阻止する携帯電子機器及びキー構造を提供することを目的とする。
【課題を解決するための手段】
【０００９】
上述した目的を達成するために、第１の発明の携帯電子機器は、開口部を有する筐体と、前記筐体内部に設けられ、複数の押圧スイッチを有するキー基板と、前記複数の押圧スイッチに被せられ、前記筐体内部に設けられるキーシートと、を備える携帯電子機器であって、前記キーシートは、弾性を有し、前記複数の押圧スイッチに対応して複数の押し子がキー基板側の面に形成されるベースシートと、前記開口部から露出し、前記ベースシートの前記開口部側の面に前記複数の押し子をすべて覆うように配設される多角形状のマルチキートップと、前記ベースシートに積層的に取り付けられるインナーフレームと、を含んで構成されており、前記押圧スイッチは、前記マルチキートップの隣り合う２つの角部の間の領域に位置するように配設され、前記インナーフレームは、前記マルチキートップの各角部に対応した領域に開口した第１の孔部を有する。
【００１０】
好適には、前記インナーフレームには、前記複数の押圧スイッチに対応した領域に第２の孔部が形成され、前記ベースシートには、前記複数の押し子のそれぞれの裏面側に突出部が形成され、各突出部は前記第２の孔部を挿通し、各突出部の頂点に前記マルチキートップが配置される。
【００１１】
好適には、前記第１の孔部は、前記インナーフレームにおいて前記マルチキートップの周縁部よりも外側に形成されている。
【００１２】
好適には、前記キー基板には、前記複数の押圧スイッチに囲まれる領域の内側に、中央押圧スイッチが配設され、前記ベースシートには、当該中央押圧スイッチに対応した位置に中央押し子がさらに形成され、前記キーシートは、当該中央押し子を押下可能である中央キートップをさらに有する。
【００１３】
好適には、前記キー基板には、前記複数の押圧スイッチに囲まれる領域の内側に、中央押圧スイッチが配設され、前記ベースシートには、当該中央押圧スイッチに対応した位置に中央押し子がさらに形成され、前記マルチキートップは、当該中央押し子をも押下可能である。
【００１４】
好適には、前記キー基板には、前記複数の押圧スイッチに囲まれる領域の外側に少なくとも１つの他の押圧スイッチが配設され、前記ベースシートには、当該他の押圧スイッチに対応して配置される少なくとも１つの他の押し子がさらに形成され、前記キーシートは、当該他の押し子を押下可能である少なくとも１つの他のキートップをさらに有する。
【００１５】
好適には、押圧スイッチを有するキー基板に被せられ、携帯電子機器の筐体内部に配設されるキー構造であって、弾性を有し、前記複数の押圧スイッチに対応して複数の押し子がキー基板側の面に形成されるベースシートと、前記筐体の開口部から露出し、前記ベースシートの前記開口部側の面に前記複数の押し子をすべて覆うように配設される多角形状のマルチキートップと、前記ベースシートに積層的に取り付けられるインナーフレームと、を有し、前記押圧スイッチは、前記マルチキートップの隣り合う２つの角部の間の領域に位置するように配設され、前記インナーフレームは、前記マルチキートップの各角部に対応した領域に開口した第１の孔部を有する。
【発明の効果】
【００１６】
本発明によれば、マルチキートップとインナーフレームとの干渉を阻止する携帯電子機器及びキー構造を提供することができる。
【発明を実施するための最良の形態】
【００１７】
以下、本発明の携帯電子機器の実施形態として、携帯端末１００について説明する。
図１は、本発明の実施形態に係る携帯端末１００を示す外観斜視図である。
本実施形態では、携帯端末１００は折り畳み式の携帯電話機であり、図１（ａ）は開状態を、図１（ｂ）は閉状態をそれぞれ示している。
【００１８】
図１に示すように、携帯端末１００は、上部筐体１０１と、下部筐体１０２とを備えており、それぞれの端部がヒンジ部１０３により連結されている。上部筐体１０１と、下部筐体１０２とは、ヒンジ部１０３を中心として開閉可能に構成されている。
上部筐体１０１及び下部筐体１０２は、それぞれ概ね薄型直方体に形成されており、閉状態では互いに重ね合わされ、一方の筐体側から他方の筐体側を見たときに互いの輪郭がほぼ一致するようになっている。
【００１９】
上部筐体１０１には、正面（閉状態において下部筐体１０２と対向する面）に表示部１が設けられている。表示部１は、例えば液晶表示ディスプレイや有機ＥＬディスプレイによって構成されている。
【００２０】
下部筐体１０２は、閉状態で上部筐体１０１に対向するフロントケース１０と、その背面側のリアケース２０とを備えている。フロントケース１０及びリアケース２０は、例えば樹脂によりそれぞれ成形されている。
【００２１】
下部筐体１０２には、ユーザの操作を受け付ける操作部２が設けられている。
操作部２は、キートップとして、ＭＦキー４１（本発明のマルチキートップに対応）、決定キー４２、テンキー４３、ファンクションキー４４を備えており、これらの各種キーはフロントケース１０より露出している。なお、以下では、操作部２の説明において、上部筐体１０１を上側に、下部筐体１０２を下側にして操作部２を正面から見たときの上下左右を、操作部２の上下左右とする。
【００２２】
図２は、下部筐体１０２内部の概略構成を示す分解斜視図である。下部筐体１０２においては、フロントケース１０、キーアセンブリ４０（本発明のキーシートに対応）、基板アセンブリ５０、リアケース２０の順に積層される。キーアセンブリ４０及び基板アセンブリ５０は、フロントケース１０とリアケース２０とをねじ等により互いに固定することにより、フロントケース１０及びリアケース２０に挟まれて固定される。
【００２３】
基板アセンブリ５０は、回路基板５１と、回路基板５１のキーアセンブリ４０側に被せられるシールドケース５２と、シールドケース５２上に配置されるフレキシブルプリント配線板（ＦＰＣ、本発明のキー基板に対応）５３とを備えている。
【００２４】
回路基板５１は、例えば、硬質の樹脂をベースとした回路基板である。回路基板５１には、無線通信を行うための高周波回路、携帯端末１００全体の動作を制御する制御回路等、各種の電子回路、電気素子が設けられている。
【００２５】
シールドケース５２は、例えば金属により形成されており、回路基板５１に被せられるとともに回路基板５１のグランド層に電気的に接続され、高周波回路等の回路基板５１に設けられた各種の電子回路や電気素子をシールドしている。シールドケース５２は、例えば略矩形の箱体状に形成され、回路基板５１に平行でＦＰＣ５３が載置される天面及び天面の周囲を囲む側面を有している。
【００２６】
ＦＰＣ５３は、キーアセンブリ４０側に、複数のメタルドームスイッチ４７（本発明の押圧スイッチに対応）を備えている。ＦＰＣ５３は図示しない信号線を介して回路基板５１と電気的に接続されており、メタルドームスイッチ４７の押圧に対応する信号を回路基板５１の制御回路に出力する。メタルドームスイッチ４７は、例えば、ＭＦキー４１の上下左右に対応して４個、決定キー４２に対応して１個、１個のテンキー４３に対応して１個（合計１５個）、１個のファンクションキー４４に対応して１個（合計４個）、ＦＰＣ５３上に配置されている。
【００２７】
図３は、キーアセンブリ４０の斜視図であり、図３（ｂ）は、キーアセンブリ４０の分解斜視図である。なお、以下、図３（ａ）における紙面上方側の面を天面、その裏側、すなわち、図３（ｂ）紙面上方側の面を裏面とする。
【００２８】
キーアセンブリ４０は、キートップ（ＭＦキー４１、決定キー４２、テンキー４３、ファンクションキー４４）、インナーフレーム４５、ベースシート４６により構成される。
キートップ４１〜４４は、例えばＡＢＳ樹脂などの硬質の材質により形成される。
キートップ４１〜４４は、互いに隣接（連続）して配置されている。例えば、具体的には、ＭＦキー４１の中央に決定キー４２（本発明の中央キーに対応）が配置され、ＭＦキー４１の左右に２つずつファンクションキー４４が隣接し、ＭＦキー４１及びファンクションキー４４の下方にはテンキー４３が隣接している。テンキー４３は、例えば５行３列のマトリックス状に配列されている。そして、キートップ４１〜４４は、図１及び図３に示すように、フロントケース１０に設けられた開口部１１から共に露出している。
【００２９】
ＭＦキー４１は、図３に示すように、上下左右方向にそれぞれ１つずつ配置された４つのメタルドームスイッチ４７を覆うキートップであり、例えばユーザの上下左右方向を指示する入力を受け付ける。
決定キー４２は、ＭＦキー４１に対応する４つのメタルドームスイッチ４７の内側の１つのスイッチを覆うキートップであり、例えばユーザの決定動作を指示する入力を受け付ける。
テンキー４３は、例えば０〜９までの数字等にそれぞれ対応した１５個のキートップであり、例えばユーザの数字入力や文字入力を受け付ける。
ファンクションキー４４は、例えば発信キーやメール動作キー、アプリケーション起動キー、電源ＯＮ／ＯＦＦキー等の機能が割り当てられた４個のキートップである。
【００３０】
インナーフレーム４５は、ベースシート４６と同程度の広さのシート状に形成された金属等の枠材であり、ある程度の弾性を有する。インナーフレーム４５には、各キートップに対応した開口部４５１〜４５４が形成されている。
開口部４５１はＭＦキー４１に、開口部４５２は決定キー４２に、開口部４５３はテンキー４３に、開口部４５４はファンクションキー４４に対応している。
【００３１】
ベースシート４６は、例えばシリコンゴムなどの軟質の材料により形成されている。ベースシート４６は、図３（ｂ）に示すように、概ね矩形のシート状に形成され、複数のメタルドームスイッチ４７にそれぞれ対応する位置に、キートップ４１〜４４側へ突出する独立した突出部４６１〜４６４を有している。突出部４６１はＭＦキー４１に、突出部４６２は決定キー４２に、突出部４６３はテンキー４３に、突出部４６４はファンクションキー４４に対応している。
【００３２】
ベースシート４６の裏面側の各突出部４６１〜４６４に対応する位置には、複数のメタルドームスイッチ４７に対応して押し子４６５〜４６８が形成されている。すなわち、各押し子４６５〜４６８はそれぞれ対応するメタルドームスイッチ４７に接触している。各種キートップ４１〜４４は、それぞれ対応する突出部４６１〜４６４に対して例えば接着剤等により接合されているため、各種キートップ４１〜４４が押下されることにより、突出部４６１〜４６４が押圧され、対応する押し子４６５〜４６８を介して対応するメタルドームスイッチ４７が押圧される。
キートップ４１〜４４、インナーフレーム４５、ベースシート４６、メタルドームスイッチ４７により携帯端末１００の操作部２としてのキー構造が構成され、キー構造の構成要素が上述したように動作することにより操作部２における操作入力が実行される。
【００３３】
以下、ＭＦキー４１とこれに対応するキー構造の各構成要素について詳細に説明する。
図４は、ＭＦキー４１とこれに対応するキー構造の構成要素の詳細を説明するための図である。
図４に示すように、ＭＦキー４１の１つのキートップに対して、インナーフレーム４５には４つの開口部４５１−１〜４５１−４（本発明の第２の孔部に対応）が形成され、ベースシート４６には４つの突出部４６１−１〜４６１−４とその裏面に４つの押し子４６５−１〜４６５−４が形成されている。これら４つの押し子４６５−１〜４６５−４は、それぞれ異なるメタルドームスイッチ４７−１〜４７−４と接触している。
すなわち、ＭＦキー４１は、１つのキートップで４つのメタルドームスイッチ４７−１〜４７−４を覆っており、ＭＦキー４１の上下左右の部位それぞれが異なる入力を受け付けるようになっている。
【００３４】
ここで、ＭＦキー４１に対応するインナーフレーム４５の４つの開口部４５１−１〜４５１〜４付近には、例えばＬ字型をした４つの孔部４５５−１〜４５５−４（本発明の第１の孔部に対応）が１つずつ空けられている。この孔部４５５−１〜４５５−４は、ＭＦキー４１の角部（図４に示す領域Ｂ−１〜Ｂ−４）に押圧が掛けられた時、すなわち、ＭＦキー４１により入力可能な４つの入力のうち２つを同時に入力しようとする（同時押しの）場合に、キートップ４１とインナーフレーム４５の隣接する２つの孔部の間にある枠部分（図４に示す領域Ｃ−１〜Ｃ−４）とが接触・干渉し、押圧力が突出部４６１−１〜４６１−４を介してメタルドームスイッチ４７−１〜４７−４までうまく伝わらず、同時押しが認識されない事態を回避するためのものである。
【００３５】
図５は、ＭＦキー４１の角部である領域Ｂ−１に押圧力が掛けられたときのキー構造の各構成要素の動作を説明するための図である。
図５は、図４における線Ｄ−Ｄ’における断面図であり、ＭＦキー４１の角部の１つである領域Ｂ−１に押圧力が掛けられている場合を示している。図５に示すように、インナーフレーム４５の対応する箇所（図５に示した領域Ｅ−１）には上述した孔部４５５−１が空けられているため、領域Ｅ−１付近は弾性が増しており、領域Ｂ−１に対する押圧力に対して変形可能となるように構成されている。このため、ＭＦキー４１の領域Ｂ−１に掛けられた押圧力が、インナーフレーム４５の開口部４５１−１と４５１−２の間にある枠部分（図４に示す領域Ｃ−１）とＭＦキー（キートップ）４１の領域Ｂ−１の裏面部と干渉することにより、押圧力がうまく伝わらない事態を回避することができる。
なお、インナーフレーム４５は、キー構造の剛性を上げるために、ある程度の強度を有する材料で形成されているが、孔部４５５−１〜４５５−４付近では、ＭＦキー（キートップ）４１に掛かる押圧力に応じて変形が可能な程度の弾性を有するように、孔部４５５−１〜４５５−４の大きさ・幅等が決定されることが好ましい。
【００３６】
すなわち、本実施形態の携帯端末１００においては、インナーフレーム４５を適度な強度と弾性とを併せ持つ材料により形成し、４つの開口部４５１−１〜４５１−４付近に４つの孔部４５５−１〜４５５−４を形成することにより、ＭＦキー４１の角部である領域Ｂ−１〜Ｂ−４に押圧力が掛けられたときには、インナーフレーム４５の孔部４５５−１〜４５５−４付近がベースシート４６の方向に若干変形し、これによりＭＦキーのキートップ４１とインナーフレーム４５の隣接する２つの開口部の間にある枠部分とが接触・干渉することにより、押圧力がメタルドームスイッチ４７まで伝達されない、という事態を回避することができ、好適に同時押しを認識することができる。
【００３７】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３８】
上述した実施形態では、決定キー４２はＭＦキー４１とは独立していたが、本発明では決定キーとＭＦキーとは同一のキーでもよい。すなわち、ＭＦキーが覆う４つのメタルドームスイッチの中央に位置するスイッチを、ＭＦキーと独立した決定キーではなく、ＭＦキーの中央部の押下により操作されるように構成してもよい。
【００３９】
上述した実施形態では、携帯電子機器の一例として、折り畳み式の携帯電話である携帯端末１００について説明したが、本発明はこれには限定されない。例えば、折り畳み式でなくストレート形、スライド型等、他の形式の携帯電子機器であってもよい。また、携帯電話だけでなく、ＰＤＡ（Personal Digital Assistant）等、カメラを有する他の携帯電子機器であってもよい。
【００４０】
また、上述した実施形態では、ＭＦキー（マルチキートップ）４１が、四角形状とされ、４つの押圧スイッチに対応して配設された４つの押し子を覆うように配設され、各押圧スイッチ及び各押し子が四角形状のＭＦキー４１の隣り合う角部の間の領域に位置するように配設された構成としたが、本発明は当該構成に限定されるものではない。例えば、ＭＦキー（マルチキートップ）が三角形状とされ、３つの押圧スイッチに対応して配設された３つの押し子を覆うように配設され、各押圧スイッチ及び各押し子が三角形状のＭＦキーの隣り合う角部の間の領域に位置するように配設された構成であってもよい。すなわち、ＭＦキーが三角形状や四角形状や五角形状等の多角形状とされ、ＭＦキーの隣り合う２つの角部の間の領域に押圧スイッチ及び押し子がそれぞれ配設されて、多角形状のＭＦキーが各押圧スイッチ及び押し子を覆うように配設される構成であってもよい。そして、インナーフレーム４５には、これら多角形状のＭＦキーの各角部に対応した領域に各角部に沿った形状で開口される孔部が形成されるように構成することで、上述した実施形態と同様の作用効果が得られることとなる。その他の構成においても、上述した実施形態での構成に対応する構成とすればよい。
なお、各角部に対応した領域に形成される孔部は、ＭＦキーの各角部に沿った形状に限定されることなく、ＭＦキーとインナーフレームとの干渉が抑制されるような形状にて開口されればよい。
【図面の簡単な説明】
【００４１】
【図１】図１は、本発明の携帯端末を示す外観斜視図である
【図２】図２は、下部筐体内部の概略構成を示す分解斜視図である。
【図３】図３は、キーアセンブリの斜視図である。
【図４】図４は、ＭＦキーとこれに対応するキー構造の構成要素の詳細を説明するための図である。
【図５】図５は、ＭＦキーの角部に押圧力が掛けられたときのキー構造の各構成要素の動作を説明するための図である。
【図６】図６は、従来のＭＦキーを含むキー構造の一例を示す図である。
【符号の説明】
【００４２】
１００…携帯端末、１０１…上部筐体、１０２…下部筐体、１０３…ヒンジ部、１…表示部、２…操作部、１０…フロントケース、１１…開口部、２０…リアケース、４０…キーアセンブリ、４１…ＭＦキー、４２…決定キー、４３…テンキー、４４…ファンクションキー、４５…インナーフレーム、４５１〜４５４…開口部、４５５…孔部、４６…ベースシート、４６１〜４６４…突出部、４６５〜４６８…押し子、４７…メタルドームスイッチ、５０…基板アセンブリ、５１…回路基板、５２…シールドケース、２００…キー構造、２１１…インナーフレーム、２１２…ベースシート、２１３…ＦＰＣ、２１４…スイッチ、２０１…ＭＦキー、２０２…決定キー、２０３…ファンクションキー、２０４…テンキー、２１０…キートップ
【図１】
0005022192.tif 000002
【図２】
0005022192.tif 000003
【図３】
0005022192.tif 000004
【図４】
0005022192.tif 000005
【図５】
0005022192.tif 000006
【図６】
0005022192.tif 000007